(57)【要約】【課題】ＩＰ機器や接点監視装置からの障害情報を、テキストモードでの時系列的な表示のみならず、障害の重大性に応じてブザー等を鳴動して警報音を発して、オペレーターあるいは監視室にいる他の要員にアラーム発生を確実に伝えることができる遠隔障害監視装置及び遠隔障害監視方法を提供すること。【解決手段】障害情報受付手段５からの障害情報によりアラームを発生するアラーム発生受諾管理手段１０を設けて、発生した障害の重要度のデータを障害管理ファイル１０ａに記憶し、障害通知の受諾操作による受諾信号を受信時に該当する障害の重要度のデータを障害管理ファイル１０ａから消去するようにして、アラーム発生受諾管理手段１０は、障害管理ファイル１０ａに記憶している障害の重要度のデータから重要度の最も高いものを選択して、選択した障害の重要度に応じて異なった警報音をブザー制御手段１３で発生するようにする。【選択図】  図１
2007013928.tif 000002
【特許請求の範囲】
【請求項１】
監視対象装置の障害発生を監視する遠隔障害監視装置であって、発生した障害の重要度のデータを記憶する記憶手段と、障害通知の受諾操作による受諾信号を受信時に、該当する障害の重要度のデータを前記記憶手段から消去する消去手段とを有し、前記記憶手段に記憶している障害の重要度のデータから重要度の最も高いものを選択して、選択した障害の重要度に応じて異なった警報音を発生するようにしたことを特徴とする遠隔障害監視装置。
【請求項２】
監視対象装置の障害発生情報を表示する遠隔障害監視装置であって、障害発生情報又は障害復旧情報を時系列的に記憶するログ情報記憶手段と、前記ログ情報記憶手段で新たに発生した障害発生情報または障害復旧情報を抽出する抽出手段と、障害発生情報を表示する表示部とを有し、前記抽出手段で抽出した障害発生情報を前記表示部に表示し、前記抽出手段で抽出した障害復旧情報から復旧した障害発生情報を表示部から削除するようにして、現在発生している障害発生情報を前記表示部に表示するようにしたことを特徴とする遠隔障害監視装置。
【請求項３】
前記抽出手段は、一定時間毎に前記ログ情報記憶手段の更新時期をチェックして、更新時期が前回のアクセス時の更新時期と異なるときには、ログ情報記憶手段から新たに追加されたデータを読み出すようにしたことを特徴とする請求項２記載の遠隔障害監視装置。
【請求項４】
監視対象装置の障害発生情報を表示する遠隔障害監視装置であって、障害発生情報又は障害復旧情報を時系列的に記憶するログ情報記憶手段と、前記ログ情報記憶手段で新たに発生した障害発生情報または障害復旧情報から特定の属性をもつ監視対象に絞り込むための監視対象選択手段と、前記監視対象選択手段で絞り込んだ監視対象から障害発生情報または障害復旧情報を抽出する抽出手段と、障害発生情報を表示する表示部とを有し、前記抽出手段で抽出した障害発生情報を前記表示部に表示し、前記抽出手段で抽出した障害復旧情報から復旧した障害発生情報を表示部から削除するようにして、特定の属性をもつ監視対象における現在発生している障害発生情報を前記表示部に表示するようにしたことを特徴とする遠隔障害監視装置。
【請求項５】
監視対象装置の障害発生情報又は障害復旧情報を検索表示する遠隔障害監視装置であって、障害発生情報又は障害復旧情報を時系列的に記憶するログ情報記憶手段と、前記ログ情報記憶手段で新たに発生した障害発生情報または障害復旧情報を抽出する抽出手段と、前記抽出手段で抽出した障害発生情報又は障害復旧情報を順次記憶する障害情報記憶手段と、前記障害情報記憶手段から過去に発生した障害発生情報又は障害復旧情報を検索する検索手段と、前記検索手段で検索した過去の障害発生情報又は障害復旧情報を表示する表示手段を備えたことを特徴とする遠隔障害監視装置。
【請求項６】
前記検索手段で検索した過去の障害発生情報又は障害復旧情報をＣＳＶ形式のファイルとして出力するファイル出力手段を備えたことを特徴とする請求項５記載の遠隔障害監視装置。
【請求項７】
監視対象装置の障害発生を監視する遠隔障害監視方法であって、発生した障害の重要度のデータを記憶装置に記憶する工程と、障害通知の受諾操作による受諾信号を受信時に前記記憶装置に記憶している該当する障害の重要度のデータを消去する工程と、前記記憶装置に記憶している障害の重要度のデータから重要度の最も高いものを選択して、選択した障害の重要度に応じて異なった警報音を発生する工程を有するようにしたことを特徴とする遠隔障害監視方法。
【請求項８】
監視対象装置の障害発生情報を表示する遠隔障害監視方法であって、障害発生情報又は障害復旧情報を時系列的に記憶装置に記憶するログ情報記憶工程と、前記ログ情報記憶工程で新たに発生した障害発生情報又は障害復旧情報を抽出する抽出工程と、前記抽出工程で抽出した障害発生情報を表示部に表示する工程と、前記抽出工程で抽出した障害復旧情報から復旧した障害発生情報を表示部から削除する工程とを有し、現在発生している障害発生情報を表示部に表示するようにしたことを特徴とする遠隔障害監視方法。
【請求項９】
前記抽出工程は、一定時間毎に障害発生情報あるいは障害復旧情報を記憶した前記記憶装置のデータの更新時期をチェックして、更新時期が前回のアクセス時の更新時期と異なるときには、新たに追加されたデータを前記記憶装置から読み出すようにしたことを特徴とする請求項８記載の遠隔障害監視方法。
【請求項１０】
監視対象装置の障害発生情報を表示する遠隔障害監視方法であって、障害発生情報又は障害復旧情報を時系列的に記憶するログ情報記憶工程と、前記ログ情報記憶工程で新たに発生した障害発生情報または障害復旧情報から特定の属性をもつ監視対象に絞り込むための監視対象選択工程と、前記監視対象選択工程で絞り込んだ監視対象から障害発生情報または障害復旧情報を抽出する抽出工程と、障害発生情報を表示する表示部とを有し、前記抽出工程で抽出した障害発生情報を前記表示部に表示し、前記抽出工程で抽出した障害復旧情報から復旧した障害発生情報を表示部から削除するようにして、特定の属性をもつ監視対象における現在発生している障害発生情報を前記表示部に表示するようにしたことを特徴とする遠隔障害監視方法。
【請求項１１】
監視対象装置の障害発生情報又は障害復旧情報を検索表示する遠隔障害監視方法であって、障害発生情報又は障害復旧情報を時系列的に記憶するログ情報記憶工程と、前記ログ情報記憶工程で新たに発生した障害発生情報又は障害復旧情報を抽出する抽出工程と、前記抽出工程で抽出した障害発生情報又は障害復旧情報を記憶装置に順次記憶する障害情報記憶工程と、前記抽出工程で抽出した障害発生情報又は障害復旧情報を記憶した前記記憶装置から過去に発生した障害発生情報又は障害復旧情報を検索する検索工程と、前記検索工程で検索した過去の障害発生情報又は障害復旧情報を表示する表示工程を備えたことを特徴とする遠隔障害監視方法。
【請求項１２】
前記検索工程で検索した過去の障害発生情報又は障害復旧情報をＣＳＶ形式のファイルとして出力するファイル出力工程を備えたことを特徴とする請求項１１記載の遠隔障害監視方法。
【発明の詳細な説明】
【技術分野】
【０００１】
本発明は、遠隔地のＩＰ装置、接点監視装置等からの障害情報の監視を行う遠隔障害監視装置及び遠隔障害監視方法に関する。
【背景技術】
【０００２】
遠隔地に設置された機器の障害を監視する従来の遠隔障害監視装置は、障害監視の情報を表示するユーザーインターフェイスを介してオペレーターに通知を行う。ユーザーインターフェイスは、障害が発生した装置や機器の位置をグラフィックで示すノードマップや、機器の障害発生あるいは復旧を時系列に表示するアラームブラウザを用いている。
【０００３】
従来の遠隔障害監視装置の構成を図１１に示す。図１１に示すように、遠隔障害監視装置３０は、ＩＰ機器２０、接点監視装置２１からの機器障害情報を受け付ける障害情報受付手段５と、障害情報受付手段５からの障害情報を表示するアラームブラウザ表示手段６と、障害情報を発している機器をグラフィックで表示するノードマップ表示手段７と、障害情報受付手段５からの障害情報等を時系列的に記憶するイベントログファイル８とを有している。
【０００４】
ＩＰ機器２０、接点監視装置２１からの機器障害情報を受け付ける障害情報受付手段５は、ＩＰ機器２０の情報を記憶しているＩＰ機器管理データベース５ａと接点監視装置２１の情報を記憶している接点監視装置管理データベース５ｂとを備えており、ＩＰ機器２０、接点監視装置２１からの機器障害情報を受け付けると、それぞれの管理データベースを参照して、障害に関するデータをアラームブラウザ表示手段６、ノードマップ表示手段７及びイベントログファイル８に出力する。
【０００５】
アラームブラウザ表示手段６は、障害情報受付手段５からのデータを受けて障害が発生した機器の障害情報等をテキストモードで時系列的に表示装置に表示するものである。また、ノードマップ表示手段７は、障害情報受付手段５からのデータを受けて障害が発生した機器の位置をマップ画面上に機器シンボルの色を変えて表示装置に表示するものである。これにより、障害が発生した機器の障害情報及びその位置を知ることができる。
【０００６】
また、緊急性の高い重要障害を速やかに検出して、表示部に障害表示を行う障害アラームの出力制御方式が特許文献１に開示されている。
【０００７】
【特許文献１】特開平８−２４２２３０号
【発明の開示】
【発明が解決しようとする課題】
【０００８】
従来の遠隔障害監視装置では、機器障害の発生あるいは機器障害の復旧などのイベントが発生した場合、遠隔障害監視装置が提供するマップ画面上の当該機器シンボルの色が変わると同時に、アラームブラウザ上にそのイベントの詳細が表示される。
【０００９】
遠隔障害監視装置で監視する監視対象は、無人局の電源設備の故障、室内温度異常、通信網設備等の収納扉の無断開閉、ネットワーク上のサーバーの故障、通信機器の故障等といった非常に重要な項目が含まれている。これらの緊急を要するような重要な障害が発生したような場合、早急な対応が求められる。しかしながら、特許文献１に開示されている障害アラームの出力制御方式では、緊急を要する障害が発生したしたときに、オペレーターが表示部から目を離していたら、その障害イベントをすぐさま知ることができない恐れがある。
【００１０】
また、従来の遠隔障害監視装置の提供するアラームブラウザは、障害発生を時系列に表示するのみであり、現在発生している障害に係る機器のみを表示させることができないため、今現在どの機器が障害状態であるのか、すぐに知ることができなかった。設備障害の中には、緊急を要しないためすぐに障害に対応する必要のないもの、あるいは、すぐに対応のできないものもあり、障害の復旧作業を後回しにする場合があるが、今現在どの機器が障害状態であるのか、すぐに知ることができないため、障害の復旧作業が遅れてしまったり、障害の発生を忘れてしまい、機器の運用に支障を来すこともある。
【００１１】
更に、従来の遠隔障害監視装置のアラームブラウザは、表示可能なイベント数が限られており、表示可能なイベント数を超えると最も古いイベントの順から消去されるため、過去に発生したイベントを表示できないこともあった。
【００１２】
また、障害情報受付手段からの障害情報等を時系列的に記憶するイベントログファイルは、記憶したイベント数が所定の数に達したときに初期のイベントのデータを削除するようになっているため、過去に発生したイベントの検索用のデータとして使用することができなかった。
【００１３】
そこで本発明は、ＩＰ機器や接点監視装置からの障害情報を、テキストモードでの時系列的な表示のみならず、障害の重大性に応じてブザー等を鳴動して、オペレーターあるいは監視室にいる他の要員にアラーム発生を確実に伝えることができ、また、現在発生している障害の表示及び過去に発生した障害情報の検索を行うことが可能な遠隔障害監視装置及び遠隔障害監視方法を提供することを目的とする。
【課題を解決するための手段】
【００１４】
本発明による遠隔障害監視装置は、監視対象装置の障害発生を監視する遠隔障害監視装置であって、発生した障害の重要度のデータを記憶する記憶手段と、障害通知の受諾操作による受諾信号を受信時に、該当する障害の重要度のデータを前記記憶手段から消去する消去手段とを有し、前記記憶手段に記憶している障害の重要度のデータから重要度の最も高いものを選択して、選択した障害の重要度に応じて異なった警報音を発生するようにしたことを特徴とする。
【００１５】
また、本発明による遠隔障害監視装置は、監視対象装置の障害発生情報を表示する遠隔障害監視装置であって、障害発生情報又は障害復旧情報を時系列的に記憶するログ情報記憶手段と、前記ログ情報記憶手段で新たに発生した障害発生情報または障害復旧情報を抽出する抽出手段と、障害発生情報を表示する表示部とを有し、前記抽出手段で抽出した障害発生情報を前記表示部に表示し、前記抽出手段で抽出した障害復旧情報から復旧した障害発生情報を表示部から削除するようにして、現在発生している障害発生情報を前記表示部に表示するようにしたことを特徴とする。
【００１６】
また、本発明による遠隔障害監視装置前記抽出手段は、一定時間毎に前記ログ情報記憶手段の更新時期をチェックして、更新時期が前回のアクセス時の更新時期と異なるときには、ログ情報記憶手段から新たに追加されたデータを読み出すようにしたことを特徴とする。
【００１７】
また、本発明による遠隔障害監視装置は、監視対象装置の障害発生情報を表示する遠隔障害監視装置であって、障害発生情報又は障害復旧情報を時系列的に記憶するログ情報記憶手段と、前記ログ情報記憶手段で新たに発生した障害発生情報または障害復旧情報から特定の属性をもつ監視対象に絞り込むための監視対象選択手段と、前記監視対象選択手段で絞り込んだ監視対象から障害発生情報または障害復旧情報を抽出する抽出手段と、障害発生情報を表示する表示部とを有し、前記抽出手段で抽出した障害発生情報を前記表示部に表示し、前記抽出手段で抽出した障害復旧情報から復旧した障害発生情報を表示部から削除するようにして、特定の属性をもつ監視対象における現在発生している障害発生情報を前記表示部に表示するようにしたことを特徴とする。
【００１８】
また、本発明による遠隔障害監視装置は、監視対象装置の障害発生情報又は障害復旧情報を検索表示する遠隔障害監視装置であって、障害発生情報又は障害復旧情報を時系列的に記憶するログ情報記憶手段と、前記ログ情報記憶手段で新たに発生した障害発生情報または障害復旧情報を抽出する抽出手段と、前記抽出手段で抽出した障害発生情報又は障害復旧情報を順次記憶する障害情報記憶手段と、前記障害情報記憶手段から過去に発生した障害発生情報又は障害復旧情報を検索する検索手段と、前記検索手段で検索した過去の障害発生情報又は障害復旧情報を表示する表示手段を備えたことを特徴とする。
【００１９】
また、本発明による遠隔障害監視装置は、前記検索手段で検索した過去の障害発生情報又は障害復旧情報をＣＳＶ形式のファイルとして出力するファイル出力手段を備えたことを特徴とする。
【００２０】
本発明による遠隔障害監視方法は、監視対象装置の障害発生を監視する遠隔障害監視方法であって、発生した障害の重要度のデータを記憶装置に記憶する工程と、障害通知の受諾操作による受諾信号を受信時に前記記憶装置に記憶している該当する障害の重要度のデータを消去する工程と、前記記憶装置に記憶している障害の重要度のデータから重要度の最も高いものを選択して、選択した障害の重要度に応じて異なった警報音を発生する工程を有するようにしたことを特徴とする。
【００２１】
また、本発明による遠隔障害監視方法は、監視対象装置の障害発生情報を表示する遠隔障害監視方法であって、障害発生情報又は障害復旧情報を時系列的に記憶装置に記憶するログ情報記憶工程と、前記ログ情報記憶工程で新たに発生した障害発生情報又は障害復旧情報を抽出する抽出工程と、前記抽出工程で抽出した障害発生情報を表示部に表示する工程と、前記抽出工程で抽出した障害復旧情報から復旧した障害発生情報を表示部から削除する工程とを有し、現在発生している障害発生情報を表示部に表示するようにしたことを特徴とする。
【００２２】
また、本発明による遠隔障害監視方法の前記抽出工程は、一定時間毎に障害発生情報あるいは障害復旧情報を記憶した前記記憶装置のデータの更新時期をチェックして、更新時期が前回のアクセス時の更新時期と異なるときには、新たに追加されたデータを前記記憶装置から読み出すようにしたことを特徴とする。
【００２３】
また、本発明による遠隔障害監視方法は、監視対象装置の障害発生情報を表示する遠隔障害監視方法であって、障害発生情報又は障害復旧情報を時系列的に記憶するログ情報記憶工程と、前記ログ情報記憶工程で新たに発生した障害発生情報または障害復旧情報から特定の属性をもつ監視対象に絞り込むための監視対象選択工程と、前記監視対象選択工程で絞り込んだ監視対象から障害発生情報または障害復旧情報を抽出する抽出工程と、障害発生情報を表示する表示部とを有し、前記抽出工程で抽出した障害発生情報を前記表示部に表示し、前記抽出工程で抽出した障害復旧情報から復旧した障害発生情報を表示部から削除するようにして、特定の属性をもつ監視対象における現在発生している障害発生情報を前記表示部に表示するようにしたことを特徴とする。
【００２４】
また、本発明による遠隔障害監視方法は、監視対象装置の障害発生情報又は障害復旧情報を検索表示する遠隔障害監視方法であって、障害発生情報又は障害復旧情報を時系列的に記憶するログ情報記憶工程と、前記ログ情報記憶工程で新たに発生した障害発生情報又は障害復旧情報を抽出する抽出工程と、前記抽出工程で抽出した障害発生情報又は障害復旧情報を記憶装置に順次記憶する障害情報記憶工程と、前記抽出工程で抽出した障害発生情報又は障害復旧情報を記憶した前記記憶装置から過去に発生した障害発生情報又は障害復旧情報を検索する検索工程と、前記検索工程で検索した過去の障害発生情報又は障害復旧情報を表示する表示工程を備えたことを特徴とする。
【００２５】
また、本発明による遠隔障害監視方法は、前記検索工程で検索した過去の障害発生情報又は障害復旧情報をＣＳＶ形式のファイルとして出力するファイル出力工程を備えたことを特徴とする。
【発明の効果】
【００２６】
本発明による遠隔障害監視装置及び遠隔障害監視方法によれば、ＩＰ機器の機器障害情報、接点監視装置で発生した障害情報を、ノードマップ上のノードシンボルの色の変化と、テキストモードでの時系列的な表示のみならず、重大な障害をブザー等の警報音により、オペレーターあるいは監視室にいる他の要員に障害発生を伝えることが可能となる。
【００２７】
また、本発明による遠隔障害監視装置及び遠隔障害監視方法によれば、現在発生している障害が常に表示装置の画面上に表示されているため、オペレーターは対処すべき障害を常に意識することができるため、障害の復旧作業の遅れ、障害発生の失念を防止することができる。
【００２８】
また、本発明による遠隔障害監視装置及び遠隔障害監視方法によれば、過去に発生した障害情報を記憶した記憶装置から障害発生情報の検索を行い、更に検索結果が汎用性の高いＣＳＶ形式のファイルで作成されるため、たとえば表計算ソフトウェアなどの外部アプリケーションとの連携が容易になり、イベントの統計がとりやすくなる。これにより、障害を発生した機器のリスト、障害発生の頻度、障害発生から復旧までの時間等の集計が可能となり、集計結果から障害発生の因果関係等の把握が容易に行える。また、保守点検等での点検すべき機器、重点項目が明確となり、点検作業の効率化、保守点検費用の低減を図ることができる。
【発明を実施するための最良の形態】
【００２９】
以下図面を参照して、本発明による遠隔障害監視装置及び遠隔障害監視方法の実施の形態について説明する。なお、本発明による遠隔障害監視装置及び遠隔障害監視方法は、ＩＰ機器や接点監視装置からの障害情報を、テキストモードでの時系列的な表示のみならず、障害の重大性に応じてブザー等を鳴動して、オペレーターあるいは監視室にいる他の要員にアラーム発生を確実に伝えることができ、また、現在発生している障害の表示及び過去に発生した障害情報の検索を行うことができるようにしたものである。
【００３０】
以下図１を用いて、遠隔障害監視装置の構成について説明する。図１は、本発明による遠隔障害監視装置の構成を示すブロック図である。なお、図１１に示す従来の遠隔障害監視装置と同一構成及び同一機能を有するものについては、同一符号を付して説明する。
【００３１】
図１に示すように、遠隔障害監視装置１は、ＩＰ機器２０、接点監視装置２１からの障害情報を受け付ける障害情報受付手段５と、障害情報受付手段５からの障害情報を表示するアラームブラウザ表示手段６と、障害情報を発している機器についてグラフィックで位置を表示するノードマップ表示手段７と、障害情報受付手段５から出力される障害情報を時系列的に記憶するイベントログファイル８と、障害情報受付手段５からの障害情報によりアラームを発生するアラーム発生受諾管理手段１０と、アラーム表示対象となる障害の発生時のイベントＩＤと復旧時のイベントＩＤの組み合わせを管理するアラーム発生復旧管理手段１１と、過去に発生した障害イベントの検索を行うアラームデータベース検索手段１２と、障害発生情報から特定の属性をもつ監視対象に絞り込むためのフィルター機能を有する監視対象選択手段としてのアクティブアラーム選別手段１４と、記憶装置１７上にＣＳＶ（Ｃｏｍｍａ  Ｓｅｐａｒａｔｅｄ  Ｖａｌｕｅｓ）形式のファイルを作成するＣＳＶファイル出力手段１６と、ＣＳＶファイル出力手段１６を制御するＣＳＶファイル出力制御部１５と、イベント発生情報をプリンター１９に出力する印字出力手段１８とを有している。なお、図１に示す障害情報受付手段５、アラームブラウザ表示手段６、ノードマップ表示手段７及びイベントログファイル８は、従来の遠隔障害監視装置３０が有するものと同一に構成されている。
【００３２】
図１に示すように、監視対象であるＩＰ装置２０、接点監視装置２１は、通信網２３を介して遠隔障害監視装置１と接続されている。ＩＰ装置２０は、例えばＬＡＮ等のネットワークに接続されたサーバー、通信機器等であり、接点監視装置２１は、装置内に組み込まれている接点、収納室等に設置した接点からの信号を受信するものである。遠隔障害監視装置１に接続されているＩＰ機器２０には、それぞれＩＰ機器番号が割り当てられており、また、装置内等に組み込まれている接点には接点番号が割り当てられている。そして接点監視装置２１は、障害が発生した接点を接点監視装置番号で遠隔障害監視装置１に出力するようになっている。これにより遠隔障害監視装置１は、障害が発生したＩＰ機器２０又は接点を内蔵した機器等を一義的に特定できるようになっている。
【００３３】
ＩＰ機器２０、接点監視装置２１からの機器障害情報を受け付ける障害情報受付手段５は、ＩＰ機器２０の情報を記憶しているＩＰ機器管理データベース５ａと接点監視装置２１の情報を記憶している接点監視装置管理データベース５ｂとを有している。ＩＰ機器管理データベース５ａは、ＩＰ機器番号毎にイベントＩＤ、イベント名、カテゴリー、障害重要度等のデータが格納されている。また、接点監視装置管理データベース５ｂは、接点監視装置番号毎にイベントＩＤ、イベント名、カテゴリー、障害重要度等のデータが格納されている。障害情報受付手段５は、ＩＰ機器２０又は接点監視装置２１が発する障害情報を受け付けるとＩＰ機器番号または接点監視装置番号を確認して、ＩＰ機器管理データベース５ａまたは接点監視装置管理データベース５ｂにＩＰ機器番号または接点監視装置番号をキーとしてアクセスし、キーに対応したイベントＩＤ、イベント名、カテゴリー、障害重要度、ノード名のデータを読み取る。
【００３４】
障害情報受付手段５は、ＩＰ機器管理データベース５ａまたは接点監視装置管理データベース５ｂから読み出したイベントＩＤ、イベント名、カテゴリー、障害重要度のデータに障害情報を受け付けた日時を加えて障害発生情報としてイベントログファイル８、アラームブラウザ表示手段６、ノードマップ表示手段７及びアラーム発生受諾管理手段１０に出力する。なお、障害情報受付手段５は、ＩＰ機器２０又は接点監視装置２１から障害が回復した信号を受け取ったときには、障害復旧情報としてイベントＩＤ、障害回復イベント名を出力する。
【００３５】
イベントログファイル８は、障害情報受付手段５から出力されるイベントＩＤ、イベント名、カテゴリー、障害重要度、ノード名のデータ及び日時を時系列的に記憶装置に記憶するようになっている。なお、イベントログファイル８は、記憶したイベント数が所定の数に達したときに初期のイベントのデータを削除するようになっている。
【００３６】
アラーム発生受諾管理手段１０は、障害情報受付手段５から出力されるイベントＩＤ、イベント名、カテゴリー、障害重要度、ノード名のデータ及び日時からイベントＩＤ及び障害重要度のデータを選択して障害管理ファイル１０ａに記憶する。また、アラーム発生受諾管理手段１０は、ブザー等によるアラームをオペレーターが受諾操作によってアラームブラウザ表示手段６から出力されるイベントＩＤの受諾信号を受信して、受信時に該当するイベントＩＤの重要度のデータを障害管理ファイル１０ａから消去する。
【００３７】
アラーム発生受諾管理手段１０は、障害管理ファイル１０ａに記憶している障害の重要度のデータから重要度の最も高いものを選択して、選択した障害の重要度に応じてデータをブザー制御手段１３に出力する。また、障害管理ファイル１０ａに障害重要度のデータが記憶されていないときには、アラーム発生受諾管理手段１０は、ブザー制御手段１３にブザーの鳴動を停止するように信号を出力するようになっている。
【００３８】
ブザー制御手段１３は、アラーム発生受諾管理手段１０から出力される障害の重要度、例えば、Ｃｒｉｔｉｃａｌ（大）、Ｍａｊｏｒ（中）、Ｍｉｎｏｒ（小）のデータに従って、異なった音色又は音量でブザーを鳴動する。また、アラーム発生受諾管理手段１０からブザーの鳴動を停止する信号が出力されたときには、ブザーの鳴動を停止するようにする。
【００３９】
アラーム発生復旧管理手段１１は、一定時間毎にイベントログファイル８の更新時期のチェックを行って、前回チェックしたイベントログファイル８の更新時期と異なるときには、新たに追加された障害発生データあるいは障害復旧データをイベントログファイル８から抽出して、アラームデータベース１１ａに記憶する。なお、アラーム発生復旧管理手段１１は、アラームデータベース１１ａに記憶するデータの項目を前もって設定しておき、イベントログファイル８から該当する項目のデータを記憶するようになっている。このように、アラーム発生復旧管理手段１１は、新たに追加された障害発生データあるいは障害復旧データをイベントログファイル８から抽出する抽出手段を有しており、抽出手段は、イベントログファイル８の更新時期をチェックすることにより新規のデータが記憶されているかを判断するため、処理が簡素化される。
【００４０】
また、アラーム発生復旧管理手段１１は、アラーム表示対象となる障害発生時のイベントＩＤと復旧時のイベントＩＤを管理しており、アラームデータベース１１ａに取り込まれた障害発生データを確認し、障害発生のイベントＩＤが新たに認められると、その障害情報をアクティブアラーム表示部１１ｂとしての表示装置の画面上に表示する。また、イベントログファイル８中に障害復旧のイベントＩＤが新たに認められたときには、そのイベントＩＤの障害発生情報をアクティブアラーム表示部１１ｂから削除するようにする。これによりアクティブアラーム表示部１１ｂとしての表示装置の画面上には、現在発生している障害発生情報が表示される。
【００４１】
アラームデータベース検索手段１２は、指定した条件によりアラームデータベース１１ａを検索して、該当するデータを抽出するものである。アラームデータベース１１ａは、過去に発生した障害発生情報あるいは障害復旧情報をレコード形式でファイルに記憶しているため、キーにより指定した条件で検索を行うことができるようになっている。検索した結果は、アラームヒストリー表示部１２ａとしての表示装置に表示される。なお、アクティブアラーム表示部１１ｂ及びアラームヒストリー表示部１２ａとしての表示装置は、例えば、液晶モニタ、ＣＲＴモニタ等で構成されている。
【００４２】
アラームブラウザ表示手段６は、障害情報受付手段５からのデータを受けて障害情報のデータを表示装置に表示するものである。また、ノードマップ表示手段７は、障害情報受付手段５からのデータを受けて、障害が発生した機器の位置を表示装置のマップ画面上に機器シンボルの色を変えて表示するものである。
【００４３】
アクティブアラーム表示部１１ｂの表示装置の画面上には、現在発生している障害発生情報が表示されるが、障害発生情報は、多種多様にわたっているため、特定の障害発生情報を監視することが困難になることがある。このため監視対象選択手段としてのアクティブアラーム選別手段１４は、障害発生情報での特定の属性をもつ監視対象、例えば、ある特定の局舎のアラーム、または、ある特定の機器のアラーム等に絞り込むためのフィルター機能を有するようにしてフィルターで選別したアラームをアクティブアラーム選別表示部１４ａに出力するものである。アクティブアラーム選別手段１４は、それぞれに異なったフィルターを設定することができ、アクティブアラーム選別表示部１４ａは、設定したフィルター毎に複数枚同時に表示することができるようになっている。
【００４４】
図１に示すＣＳＶファイル出力制御部１５は、アラームデータベース検索手段１２で検索した過去に発生した障害イベントのデータをＣＳＶ形式のファイルとして記憶装置１７に記憶するＣＳＶファイル出力手段１６を制御するものである。ＣＳＶ形式のファイルは、ディスクドライバー等のＣＳＶファイル出力手段１６により、ハードディスク等の記憶装置に作成される。イベント履歴をＣＳＶファイルで保管することで、例えば、保管後に遠隔監視装置上のイベント履歴が消去、上書きされても、そのイベント情報を残すことができる。また、記憶装置に作成するファイルはＣＳＶ形式であるため、汎用性が高く、たとえば表計算ソフトウェアなどの外部アプリケーションとの連携が容易になり、イベントの統計がとりやすくなる。
【００４５】
印字出力手段１８は、イベント発生情報をリアルタイムでプリンター１９に出力して、プリンター１９は、イベント発生情報を印字する。プリンターは、１行ごとにイベント発生情報を印字するラインプリンターが望ましい。
【００４６】
なお、アクティブアラーム表示部１１ｂ、アラームヒストリー表示部１２ａ、アラームブラウザ表示手段６、ノードマップ表示手段７及びアクティブアラーム選別表示部１４ａの各ブロックに使用する表示装置は各ブロック毎に設けられているが、各ブロックに入力する映像信号を選択して、選択した映像信号を出力する映像切替装置等を用いて、一つの表示装置で各ブロックのデータ、情報等を表示するようにしてもよい。
【００４７】
次に、図２乃至図５に示すフローチャートを用いて図１に示す遠隔障害監視装置のアラーム発生受諾管理手段、アラーム発生復旧管理手段及びアラームデータベース検索手段について説明する。図２は、遠隔障害監視装置１のアラーム発生受諾管理手段の処理を示すフローチャート、図３は、遠隔障害監視装置のアラーム発生復旧管理手段の処理を示すフローチャート、図４は、アラーム発生復旧管理手段によりアクティブアラーム表示部としての表示装置に表示された障害発生情報の一例を示す図、図５は、遠隔障害監視装置のアラームデータベース検索手段の処理を示すフローチャートである。
【００４８】
最初に、遠隔障害監視装置のアラーム発生受諾管理手段の処理について図２を示すフローチャートを用いて説明する。図２に示すように、遠隔障害監視装置１のアラーム発生受諾管理手段１０は、最初に、障害情報受付手段５から機器障害情報の入力が有るかをチェックする（ステップＳ１）。障害情報受付手段５からの機器障害情報の入力が有ったときには、イベントＩＤ、障害重要度のデータを障害管理ファイル１０ａに記憶する（ステップＳ２）。障害情報受付手段５からの機器障害情報の入力がないときには、ステップＳ３に移行する。次に、アラーム発生受諾管理手段１０は、アラームブラウザ表示手段６からアラームの受諾信号の入力が有るかをチェックする（ステップＳ３）。アラームの受諾信号の入力が有るときには、ブラウザ表示手段６から出力されるイベントＩＤに基づいて、該当するイベントＩＤのデータを障害管理ファイル１０ａから削除する（ステップＳ４）。アラームの受諾信号の入力がないときには、ステップＳ５に移行する。
【００４９】
次に、アラーム発生受諾管理手段１０は、障害管理ファイル１０ａのデータを読み出して（ステップＳ５）、障害管理ファイル１０ａの機器障害情報のデータが記憶されているかをチェックする（ステップＳ６）。障害管理ファイル１０ａに機器障害情報のデータが記憶されていないときには、鳴動中のブザーが有るかをチェックして（ステップＳ７）、鳴動中のブザーが有るときには、ブザーを停止するようにする（ステップＳ８）。その後ステップＳ１に移行する。障害管理ファイル１０ａに機器障害情報のデータが記憶されているときには、記憶されている障害の重要度のデータから重要度の最も高いデータを以下の処理により選択する。障害管理ファイル１０ａに記憶されている障害の重要度のデータで“大”が有るかをチェックする（ステップＳ９）。障害管理ファイル１０ａに障害の重要度“大”のデータが記憶されているときには、ブザー制御手段１３に重要度“大”のブザーデータを設定して（ステップＳ１０）、ステップＳ１４に移行する。障害管理ファイル１０ａに障害の重要度“大”のデータが記憶されていないときには、障害の重要度“中”のデータが記憶されているかをチェックする（ステップＳ１１）。障害の重要度“中”のデータが記憶されているときには、ブザー制御手段１３に重要度“中”のブザーデータを設定して（ステップＳ１２）、ステップＳ１４に移行する。障害管理ファイル１０ａに障害の重要度“中”のデータが記憶されていないときには、ブザー制御手段１３に重要度“小”のブザーデータを設定する（ステップＳ１３）。ブザー制御手段１３は、アラーム発生受諾管理手段１０から出力された設定データに基づいて、各重要度に対応した音色、音量でブザーを鳴動する（ステップＳ１４）。なお、ブザー制御手段１３は、例えば、重要度“大”で鳴動しているときに、重要度“中”のブザーデータが設定されたときには、重要度“大”でのブザーの鳴動を停止して、重要度“中”のブザーで鳴動するようになっている。
【００５０】
以上述べたように、遠隔障害監視装置のアラーム発生受諾管理手段により、障害の重大性に応じてブザーを鳴動して、オペレーターあるいは監視室にいる他の要員にアラーム発生を確実に伝えることが可能となる。なお、オペレーターへのアラーム発生の伝達手段として、ブザーを鳴らす実施例について述べたが、本発明は、警報音を発するものであればよく、例えば、音声によって警報を発するようにしてもよい。
【００５１】
次に、遠隔障害監視装置のアラーム発生復旧管理手段の処理について図３に示すフローチャートを用いて説明する。最初に、障害管理を行う対象機器、対象項目の登録を前もって行う（ステップＳ２０）。障害管理を行う対象機器、対象項目の登録は、例えば、障害が発生したときの障害重要度が大の機器、特定の障害発生情報などである。なお、遠隔障害監視装置１が監視する総ての機器、総ての障害発生情報について障害管理を行う対象として登録することも可能となっている。
【００５２】
アラーム発生復旧管理手段１１は、内蔵しているタイマーが発する所定の時間毎の信号が“ＯＮ”しているかをチェックする（ステップＳ２１）。アラーム発生復旧管理手段１１は、タイマーの信号が“ＯＮ”に変化したときに、イベントログファイル８にアクセスしてイベントログファイル８の更新時期が、前回のアクセス時の更新時期と一致しているかをチェックする（ステップＳ２２）。更新時期が前回のアクセス時と異なるときには、イベントログファイル８から新たに追加されたデータを抽出して、障害管理対象機器の最新イベントを取得してアラームデータベース１１ａに記憶する（ステップＳ２３）。これにより、アラームデータベース１１ａには、障害情報受付手段５から出力される障害発生情報、障害復旧情報が時系列的に記憶される。
【００５３】
イベントログファイル８から取得したイベントが、障害の発生情報であるかをチェックする（ステップＳ２４）。イベントが障害の発生情報のときにはアクティブアラーム表示部１１ｂとしての表示装置に障害発生情報を表示する（ステップＳ２５）。また、イベントが障害の発生情報でないとき、すなわち、障害の復旧情報のときには、該当する障害発生情報をアクティブアラーム表示部１１ｂとしての表示装置の画面から削除する（ステップＳ２６）。これにより、アクティブアラーム表示部１１ｂとしての表示装置には、現在発生している障害（アクティブアラーム）のみが表示される。
【００５４】
図４にアラーム発生復旧管理手段１１によりアクティブアラーム表示部１１ｂとしての表示装置に表示された障害発生情報の一例を示す。図４に示すように、表示項目としてＳｅｖｅｒｉｔｙ（障害の重要度）、Ｄａｔｅ／Ｔｉｍｅ（障害発生日時）、Ｓｏｕｒｃｅ（障害発生機器）、Ｍｅｓｓａｇｅ（障害の内容）があり、それぞれの項目欄には、アラームデータベース１１ａから読み出したデータが表示される。また、Ｓｅｖｅｒｉｔｙ（障害の重要度）の欄は、障害の重要度に応じて、表示色を変えるようになっている。また、アクティブアラーム表示部１１ｂとしての表示装置の画面の下段の左欄には、アクティブアラームの総数とその重要度別の内訳が表示されるようになっている。
【００５５】
以上により、前もって設定登録した障害情報に関して、現在発生している障害のみを表示装置の画面に表示するため、オペレーターは対処すべき障害の問題を常に意識することができ、処置の遅れ、処置忘れを防ぐことができる。
【００５６】
次に、図５は、遠隔障害監視装置のアラームデータベース検索手段の処理について図５に示すフローチャートを用いて説明する。アラームデータベース検索手段１２は、アラームデータベース１１ａに記憶されている過去に発生した障害イベントのデータを検索するものである。図３に示すアラーム発生復旧管理手段の処理によりアラームデータベース１１ａには、現在までに発生した障害イベントのデータがデータベースとして記憶されており、キーボード等の入力装置から検索条件を入力して、必要なデータを集計できるようになっている。
【００５７】
最初に、イベントの検索条件を入力する（ステップＳ３０）。イベントの検索は、例えば、期間内に発生した障害の一覧、障害重要度の頻度、キーワード等の検索条件を図示しないキーボード等の入力装置から入力する。アラームデータベース検索手段１２は、障害発生情報、障害復旧情報が時系列的に記憶したアラームデータベース１１ａから検索条件に一致するデータを読み出して、検索条件と一致したイベントを取得する（ステップＳ３１）。次に、アラームデータベース検索手段１２は、アラームデータベース１１ａから読み出したデータの集計処理等を行ってアラームヒストリー表示部１２ａとしての表示装置に検索結果を表示する（ステップＳ３２）。
【００５８】
図６にアラームデータベース検索手段１２によりアラームヒストリー表示部１２ａとしての表示装置に表示された検索結果の一例を示す。図６に示すように、表示項目としてＳｅｖｅｒｉｔｙ（障害の重要度、障害復旧）、Ｄａｔｅ／Ｔｉｍｅ（障害発生、障害復旧日時）、Ｓｏｕｒｃｅ（障害発生、障害復旧機器）、Ｍｅｓｓａｇｅ（障害、復旧の内容）があり、それぞれの項目欄には、アラームデータベース１１ａから検索したデータが表示される。また、Ｓｅｖｅｒｉｔｙの欄は、障害の重要度に応じて、表示色を変えるようになっている。また、アラームヒストリー表示部１２ａとしての表示装置の画面の下段の左欄には、検索されたアラームの総数とその重要度別の内訳が表示される。また、下段の右欄には、画面表示を切り替える画面表示切替用ボタンが表示されるようになっている。
【００５９】
アラームデータベース検索手段を用いることにより、過去に発生した障害の集計や因果関係の把握を容易に行うことができる。これにより、保守点検等での点検すべき重点項目が明確となり、点検作業の効率化、保守点検費用の低減を図ることができる。
【００６０】
以上述べたように、本発明による遠隔障害監視装置及び遠隔障害監視方法によれば、重大な障害をブザー等の警報音により、オペレーターあるいは監視室にいる他の要員に障害発生を伝えることが可能となる。
【００６１】
また、現在発生している障害が常にアクティブアラーム表示部に表示されているため、オペレーターは対処すべき障害を常に意識することができるため、障害の復旧作業の遅れ、障害発生の失念を防止することができる。
【００６２】
また、過去に発生した障害のデータがデータベース化して記録されるため、データベースを検索することにより、過去に発生した障害の集計、解析が行うことができ、保守点検等での点検すべき重点項目が明確となり、点検作業の効率化、保守点検費用の低減を図ることができる。
【実施例】
【００６３】
次に、実施例として図１に示す遠隔障害監視装置のアクティブアラーム選別手段の処理について図７乃至図９を用いて説明する。図７は、遠隔障害監視装置のアクティブアラーム選別手段の処理を示すフローチャート、図８は、アクティブアラーム選別手段のフィルターの設定画面を示す図、図９は、アクティブアラーム選別手段の処理によるアクティブアラーム選別表示部に表示された障害発生情報の一例を示す図である。図３に示すアラーム発生復旧管理手段の処理では、発生したアラーム総てをアクティブアラーム表示部１１ｂで表示しているが、監視対象が地理的に広くなり、また、監視項目数も増えるに従い、一枚のアクティブアラーム画面には多種多様のアラームが表示されることから、システムの管理者は、アラームの属性ごとに絞り込んで監視することが困難になることがある。そこで、アクティブアラーム選別手段は、ある特定の属性をもつ監視対象（たとえばある特定の局舎のアラーム、または、ある特定の機器のアラームなど）に絞り込むためのフィルター機能を用いて、フィルターにより選別したアラームをアクティブアラーム選別表示部に表示して特定のアラームを監視できるようにしたものである。なお、このアクティブアラーム選別表示部の表示画面は複数枚同時に開くことができ、それぞれに異なったフィルターを設定できるようになっている。
【００６４】
図１に示すアクティブアラーム選別手段１４の処理は、図７に示すように、最初に、図８に示すフィルターの設定画面によりフィルター条件としての障害管理を行う対象機器、対象項目等の登録を前もって行う（ステップＳ４０）。図８に示すフィルター設定画面のメニューは、障害の重要度を選択する“Ｍａｔｃｈ  Ｓｅｖｅｒｉｔｙ”と、障害発生機器を選択する“Ｍａｔｃｈ  Ｓｏｕｒｃｅ”と、障害の内容を示すメッセージ内に設定した語（Ｋｅｙｗｏｒｄ）を含む障害情報を選択する“Ｍａｔｃｈ  Ｋｅｙｗｏｒｄ”から構成されており、前もって監視する対象を選択するようにする。
【００６５】
図１に示すアラーム発生復旧管理手段１１は、内蔵しているタイマーが発する所定の時間毎の信号が“ＯＮ”しているかをチェックする（ステップＳ４１）。アラーム発生復旧管理手段１１は、タイマーの信号が“ＯＮ”に変化したときに、イベントログファイル８にアクセスしてイベントログファイル８の更新時期が、前回のアクセス時の更新時期と一致しているかをチェックする（ステップＳ４２）。更新時期が前回のアクセス時と異なるときには、イベントログファイル８から新たに追加されたデータを抽出して、障害管理対象機器の最新イベントを取得してアラームデータベース１１ａに記憶する（ステップＳ４３）。これにより、アラームデータベース１１ａには、障害情報受付手段５から出力される障害発生情報、障害復旧情報が時系列的に記憶される。
【００６６】
また、アラーム発生復旧管理手段１１は、イベントログファイル８から取得したイベントを印字出力手段１８に出力してプリンター１９で印字するようにする（ステップＳ４４）。これにより、新たに発生したアラーム等のイベントが日時と共にプリンターに印字される。
【００６７】
次に、アクティブアラーム選別手段１４は、イベントログファイル８から新たに追加されたデータを読み出して、イベントログファイル８から取得した最新イベントのデータが、ステップＳ４０で設定した障害管理を行う対象機器、対象項目等のフィルター条件に合致しているかをチェックする（ステップＳ４５）。イベントが、フィルター条件に合致していないときには、ステップＳ４１に移行する。
【００６８】
次に、ステップＳ４５でフィルター条件に合致したイベントが障害の発生情報であるかをチェックする（ステップＳ４６）。イベントが障害の発生情報のときにはアクティブアラーム選別表示部１４ａとしての表示装置に障害発生情報を表示する（ステップＳ４７）。また、イベントが障害の発生情報でないとき、すなわち、障害の復旧情報のときには、該当する障害発生情報をアクティブアラーム選別表示部１４ａとしての表示装置の画面から削除する（ステップＳ４８）。これにより、アクティブアラーム選別表示部１４ａとしての表示装置には、フィルター条件に合致した現在発生している障害（アクティブアラーム）のみが表示される。
【００６９】
図９に、アクティブアラーム選別手段１４によりアクティブアラーム選別表示部１４ａとしての表示装置に表示された障害発生情報の一例を示す。図９に示すように、上位位置（奥側）に示す表示例は、表示画面の左側に位置する“Ｆｉｌｔｅｒｓ”欄に示すＳｅｖｅｒｉｔｙとしてＭｉｎｏｒ及びＷａｒｎｉｎｇを、ＳｏｕｒｃｅとしてＬ２ＳＷ、ＲＴＵ−ＣＣＦをフィルター条件として設定したときのものである。また、図９の下位の位置（手前）に示す表示例は、“Ｆｉｌｔｅｒｓ”欄に示すＳｅｖｅｒｉｔｙとしてＭａｊｏｒを、ＳｏｕｒｃｅとしてＬ２ＳＷ、ＲＴＵ−ＣＣＦをフィルター条件として設定したときのものである。アクティブアラーム選別表示部１４ａには、それぞれのフィルター条件で選択した障害発生情報が表示される。なお、Ｓｅｖｅｒｉｔｙ（障害の重要度）の欄は、障害の重要度に応じて、表示色を変えるようになっている。また、図９に示すアクティブアラーム選別表示部１４ａとしての表示装置の画面の下段の左欄には、アクティブアラームの総数とその重要度別の内訳が表示されるようになっている。
【００７０】
以上述べたように、アクティブアラーム選別手段により、特定の属性をもつ監視対象に絞り込んで表示することができるため、監視が行いやすくなり障害発生の把握が容易に行える。これにより、保守点検等での点検すべき機器、重点項目が明確となり、点検作業の効率化、保守点検費用の低減を図ることができる。
【００７１】
次に、遠隔障害監視装置のアラームデータベース検索手段に於けるＣＳＶ形式のファイル処理ついて図１０に示すフローチャートを用いて説明する。アラームデータベース検索手段のファイル処理は、アラームデータベース１１ａに記憶されている過去に発生した障害イベントのデータを検索して、必要なデータを集計し、集計したデータをＣＳＶ形式のファイルとして図１に示す記憶装置１７に出力するものである。
【００７２】
図１０に示すように、最初に、図１に示すアラームデータベース検索手段１２は、イベントの検索条件及び検索結果をＣＳＶ形式のファイルで記憶装置１７に出力するかの“ＯＮ”又は“ＯＦＦ”の設定を行う（ステップＳ６０）。イベントの検索は、例えば、期間内に発生した障害の一覧、障害重要度の頻度、キーワード等の検索条件を図示しないキーボード等の入力装置から入力する。次に、アラームデータベース検索手段１２は、障害発生情報、障害復旧情報が時系列的に記憶したアラームデータベース１１ａから検索条件に一致するデータを読み出して、検索条件と一致したイベントを取得する（ステップＳ６１）。アラームデータベース検索手段１２は、アラームデータベース１１ａから読み出したデータの集計処理等を行ってアラームヒストリー表示部１２ａとしての表示装置に検索結果を表示する（ステップＳ６２）。
【００７３】
次に、アラームデータベース検索手段１２は、アラームヒストリー表示部１２ａに表示したデータをＣＳＶ形式でファイルとして記憶装置１７に出力するかをチェックする（ステップＳ６３）。ＣＳＶ形式のファイル出力設定が“ＯＮ”のときには、アラームヒストリー表示部１２ａにファイルの出力先とファイル名の入力画面が表示され、入力画面にファイルの出力先とファイル名を入力する（ステップＳ６４）。アラームデータベース検索手段１２は、アラームデータベース１１ａから検索条件と一致したイベントをＣＳＶ形式で出力先の記憶装置にファイルを出力する（ステップＳ６５）。
【００７４】
これにより、記憶装置に汎用性の高いＣＳＶ形式のファイルが作成されるため、たとえば表計算ソフトウェアなどの外部アプリケーションとの連携が容易になり、イベントの統計がとりやすくなる。また、統計結果から保守点検等での点検すべき機器、重点項目が明確となり、点検作業の効率化、保守点検費用の低減を図ることができる。
【図面の簡単な説明】
【００７５】
【図１】本発明による遠隔障害監視装置の構成を示すブロック図である。
【図２】遠隔障害監視装置のアラーム発生受諾管理手段の処理を示すフローチャートである。
【図３】遠隔障害監視装置のアラーム発生復旧管理手段の処理を示すフローチャートである。
【図４】アラーム発生復旧管理手段によりアクティブアラーム表示部としての表示装置に表示された障害発生情報の一例を示す図である。
【図５】遠隔障害監視装置のアラームデータベース検索手段の処理を示すフローチャートである。
【図６】アラームデータベース検索手段によりアラームヒストリー表示部としての表示装置に表示された検索結果の一例を示す図である。
【図７】遠隔障害監視装置のアクティブアラーム選別手段の処理を示すフローチャートである。
【図８】アクティブアラーム選別手段のフィルターの設定画面を示す図である。
【図９】アクティブアラーム選別手段の処理によるアクティブアラーム選別表示部に表示された障害発生情報の一例を示す図である。
【図１０】隔障害監視装置のアラームデータベース検索手段の処理に於けるＣＳＶ形式のファイル処理を示すフローチャートである。
【図１１】従来の遠隔障害監視装置の構成を示す図である。
【符号の説明】
【００７６】
１、３０  遠隔障害監視装置
５        障害情報受付手段
５ａ      ＩＰ機器管理データベース
５ｂ      接点監視装置２１管理データベース
６        アラームブラウザ表示手段
７        ノードマップ表示手段
８        イベントログファイル
１０      アラーム発生受諾管理手段
１０ａ    障害管理ファイル
１１      アラーム発生復旧管理手段
１１ａ    アラームデータベース
１１ｂ    アクティブアラーム表示部
１２      アラームデータベース検索手段
１２ａ    アラームヒストリー表示部
１３      ブザー制御手段
１４      アクティブアラーム選別手段
１４ａ    アクティブアラーム選別表示部
１５      ＣＳＶファイル出力制御部
１６      ＣＳＶファイル出力手段
１７      記憶装置
１８      印字出力手段
１９      プリンター
２０      ＩＰ機器
２１      接点監視装置
２３      通信網
【図１】
2007013928.tif 000003
【図２】
2007013928.tif 000004
【図３】
2007013928.tif 000005
【図４】
2007013928.tif 000006
【図５】
2007013928.tif 000007
【図６】
2007013928.tif 000008
【図７】
2007013928.tif 000009
【図８】
2007013928.tif 000010
【図９】
2007013928.tif 000011
【図１０】
2007013928.tif 000012
【図１１】
2007013928.tif 000013